【手続補正書】
【提出日】平成21年1月9日(2009.1.9)
【手続補正１】
【補正対象書類名】特許請求の範囲
【補正対象項目名】全文
【補正方法】変更
【補正の内容】
【特許請求の範囲】
【請求項１】
それぞれが利用者認証を必要とするアプリケーションプログラムを複数備えるICチップ搭載装置と，いずれかの前記アプリケーションプログラムを利用するアプリケーション利用プログラムを複数備える利用者端末装置と，からなり，前記アプリケーションプログラムが必要とする前記利用者認証に用いるアプリケーション認証情報を管理する認証情報管理システムであって，
前記ICチップ搭載装置は，前記アプリケーション認証情報を管理する認証情報管理部を備え，
前記利用者端末装置は，前記認証情報管理部を利用するための認証情報利用部を備え，
前記利用者端末装置のいずれかの前記アプリケーション利用プログラムの実行により具現化されるアプリケーション利用部が，前記ICチップ搭載装置の対応する前記アプリケーションプログラムの実行により具現化されるアプリケーション部を利用する際に，
前記ICチップ搭載装置の前記アプリケーション部は，前記利用者認証に於いて，前記利用者のアプリケーション認証情報を前記利用者端末装置の前記アプリケーション利用部に要求し，
前記利用者端末装置の前記認証情報利用部は，
前記アプリケーション利用部への，前記利用者のアプリケーション認証情報の要求を検知し，
前記ICチップ搭載装置の前記アプリケーション部に対応したアプリケーション認証情報を，前記ICチップ搭載装置の前記認証情報管理部に要求し，
前記ICチップ搭載装置の前記認証情報管理部が，要求されたアプリケーション認証情報を当該ICチップ搭載装置から取得して，前記利用者端末装置の前記認証情報利用部に応答し，
前記利用者端末装置の前記認証情報利用部が，前記ICチップ搭載装置の前記認証情報管理部から受信したアプリケーション部認証情報を，前記利用者端末装置の前記アプリケーション利用部に送信し，
前記利用者端末装置の前記アプリケーション利用部が，受信した前記アプリケーション部認証情報を前記ICチップ搭載装置の前記アプリケーション部に送信する
ことを特徴とする認証情報管理システム。
【請求項２】
請求項１に記載の認証情報管理システムにおいて，
前記ICチップ搭載装置の前記認証情報管理部は，認証情報管理プログラムが実行されることにより具現化され，
前記利用者端末装置の前記認証情報利用部は，認証情報利用プログラムが実行されることにより具現化される
ことを特徴とする認証情報管理システム。
【請求項３】
請求項１に記載の認証情報管理システムにおいて，
前記ICチップ搭載装置の前記認証情報管理部は，
前記利用者端末装置の前記認証情報利用部による前記アプリケーション認証情報の前記要求において，前記利用者を認証済みか否かを調べ，
認証済でない場合には，前記利用者端末装置の認証情報利用部に対して前記ICチップ搭載装置の前記認証情報管理部認証情報を要求し，
前記利用者端末装置の前記認証情報利用部は，
前記ICチップ搭載装置の前記認証情報管理部から前記認証情報管理部認証情報の要求を受けた場合に，前記利用者から前記認証情報管理部認証情報を受け付け，前記認証情報管理部に送信し，
前記ICチップ搭載装置の前記認証情報管理部は，前記利用者端末装置の前記認証情報利用部から受信した前記認証情報管理部認証情報を用いて前記利用者の認証を行い，
前記利用者を認証した後に，要求された前記アプリケーション認証情報を前記利用者端末装置の前記認証情報利用部に送信する
ことを特徴とする認証情報管理システム。
【請求項４】
請求項３に記載の認証情報管理システムにおいて，
前記利用者端末装置の前記アプリケーション利用部は，前記ICチップ搭載装置の前記アプリケーション部から前記利用者のアプリケーション認証情報を要求された場合に，前記アプリケーション認証情報を入力するための画面を表示し，
前記利用者端末装置の前記認証情報利用部は，
前記アプリケーション利用部への前記利用者のアプリケーション認証情報の要求を検知した場合に，表示される前記画面を非活性状態または非表示状態にし，当該画面に対する前記利用者からの入力を抑止する
ことを特徴とする認証情報管理システム。
【請求項５】
請求項４に記載の認証情報管理システムにおいて，
前記利用者端末装置の前記認証情報利用部は，
前記アプリケーション利用部による，前記利用者に対する認証処理に関する特徴情報を記録しており，
前記特徴情報を参照して，前記画面を非活性状態または非表示状態にする
ことを特徴とする認証情報管理システム。
【請求項６】
請求項３に記載の認証情報管理システムにおいて，
前記利用者端末装置の前記認証情報利用部は，前記利用者が前記利用者端末装置の起動後，いずれかの前記アプリケーション利用部が，前記アプリケーション部の利用を開始するより前に，前記利用者に前記認証情報管理部認証情報の入力を求め，
前記利用者が入力した前記認証情報管理部認証情報を前記ICチップ搭載装置の前記認証情報管理部に送信し，
前記ICチップ搭載装置の前記認証情報管理部は，
前記利用者端末装置の前記認証情報利用部から受信した前記認証情報管理部認証情報を用いて前記利用者の認証を行い，
前記認証に成功した場合は，当該利用者を認証済みである，と設定する
ことを特徴とする認証情報管理システム。
【請求項７】
それぞれが利用者認証を必要とするアプリケーションプログラムを複数備えるICチップ搭載装置と，個々の前記アプリケーションプログラムを利用するアプリケーション利用プログラムを備える利用者端末装置と，からなり，前記アプリケーションプログラムが必要とする前記利用者認証に用いるアプリケーション認証情報を登録する認証情報登録システムであって，
前記ICチップ搭載装置は，前記アプリケーション認証情報を管理する認証情報管理部を備え，
前記利用者端末装置は，前記認証情報管理部を利用して前記認証情報の登録処理を行う認証情報利用部を備え，
前記利用者端末装置のいずれかの前記アプリケーション利用プログラムの実行により具現化されるアプリケーション利用部が，前記ICチップ搭載装置の対応する前記アプリケーションプログラムの実行により具現化されるアプリケーション部を利用する際に，
前記利用者端末装置の前記認証情報利用部は，
前記アプリケーション認証情報の登録開始指示を前記利用者から受け付けて，登録処理を開始し，
前記利用者端末装置の前記アプリケーション利用部による，前記利用者に対する認証処理に関する特徴情報及びアプリケーション認証情報を記録し，
当該記録情報を，前記ICチップ搭載装置の前記認証情報管理部に送信し，
前記認証情報管理部が，受信した前記記録情報を当該ICチップ搭載装置内に格納する
ことを特徴とする認証情報登録システム。
【請求項８】
請求項７に記載の認証情報登録システムにおいて，
前記利用者端末装置の前記アプリケーション利用部は，
前記利用者が前記認証処理において入力した前記アプリケーション認証情報を，前記ICチップ搭載装置の前記アプリケーション部に送信し，
前記ICチップ搭載装置の前記アプリケーション部から認証結果を受信し，
前記認証結果が，認証失敗を示している場合は，前記登録処理を中止する
ことを特徴とする認証情報登録システム。
【請求項９】
請求項７に記載の認証情報登録システムにおいて，
前記利用者端末装置の前記認証情報利用部は，
複数の前記アプリケーションプログラムの各々に関する特徴情報及びアプリケーション認証情報に関する前記登録処理を行い，
前記ICチップ搭載装置の前記認証情報管理部は，前記利用者端末装置の前記認証情報利用部によって記録される，複数の特徴情報及びアプリケーション認証情報の各々を前記アプリケーションプログラムに対応付けて格納する
ことを特徴とする認証情報登録システム。
【請求項１０】
それぞれが利用者認証を必要とするアプリケーションプログラムを複数備えるICチップ搭載装置と，いずれかの前記アプリケーションプログラムを利用するアプリケーション利用プログラムを複数備える利用者端末装置と，からなり，前記アプリケーションプログラムが必要とする前記利用者認証に用いるアプリケーション認証情報を管理する認証情報管理システムであって，
前記ICチップ搭載装置は，前記アプリケーション認証情報を管理する認証情報管理部を備え，
前記利用者端末装置のアプリケーション利用部が，前記ICチップ搭載装置の前記アプリケーション部を利用する際に，
前記ICチップ搭載装置の前記アプリケーション部は，前記利用者のアプリケーション認証情報を前記利用者端末装置に要求し，
前記利用者端末装置は，
前記ICチップ搭載装置の前記アプリケーション部から前記利用者端末装置への，前記利用者認証情報の要求を検知し，
前記ICチップ搭載装置の前記認証情報管理部から前記認証情報を取得して，前記ICチップ搭載装置の前記アプリケーション利用部に送信し，
前記利用者による，前記認証情報の入力を不要にする
ことを特徴とする認証情報管理システム。
【手続補正２】
【補正対象書類名】明細書
【補正対象項目名】発明の名称
【補正方法】変更
【補正の内容】
【発明の名称】認証情報管理システムおよび認証情報登録システム